(57)【要約】【課題】  携帯端末の保有者属性情報およびＲ／Ｗ端末の設置場所などの属性情報を使って、個々の携帯端末の保有者に合わせて適切な販売促進情報を配信する。【解決手段】  Ｒ／Ｗ端末２は、タッチされた携帯端末３から、非接触ＩＣ通信により携帯端末ＩＤを読み取り、この携帯端末ＩＤおよび自身が記憶するＲ／Ｗ端末ＩＤを、ネットワーク４を介してサーバ装置１に送信する。サーバ装置１では、携帯端末ＩＤやＲ／Ｗ端末ＩＤ、そしてこれらＩＤを受信した時刻などに基づき販売促進情報を選択し、ネットワーク４を介してＲ／Ｗ端末２に送信する。そして、Ｒ／Ｗ端末２は非接触ＩＣ通信を使って携帯端末３へ販売促進情報を配信する。【選択図】  図１
2011053760.tif 000002
【特許請求の範囲】
【請求項１】
非接触ＩＣ通信を行うリーダライタ端末から非接触ＩＣを内蔵した携帯端末へ、サーバ装置が保有する販売促進情報を配信する情報配信システムにおいて、
前記サーバ装置は、
携帯端末ＩＤと当該携帯端末の保有者属性情報とを対応付けて保存する携帯端末管理部と、
リーダライタ端末ＩＤと当該リーダライタ端末の属性情報とを対応付けて保存するリーダライタ端末管理部と、
販売促進情報と、当該販売促進情報の配信対象となるリーダライタ端末属性情報と携帯端末保有者属性情報とを対応付けて保存する配信情報管理部と、
前記配信情報管理部から所定の販売促進情報を選択する配信情報選択部と、
を備え、
前記リーダライタ端末は、非接触ＩＣ通信により携帯端末から携帯端末ＩＤを読み取り、この携帯端末ＩＤと当該リーダライタ端末ＩＤとを前記サーバ装置に送信し、
前記サーバ装置の配信情報選択部は、前記リーダライタ端末から受信した携帯端末ＩＤとリーダライタ端末ＩＤとに基づき前記携帯端末管理部と前記リーダライタ端末管理部とを検索して、携帯端末の保有者属性情報とリーダライタ端末属性情報を得て、この保有者属性情報とリーダライタ端末属性情報に基づき前記配信情報管理部から販売促進情報を選択して、この販売促進情報を前記リーダライタ端末へ送信し、
前記リーダライタ端末は、前記サーバ装置から受信した販売促進情報を前記携帯端末へ送信する
ことを特徴とする情報配信システム。
【請求項２】
前記サーバ装置は、携帯端末へ既に配信した販売促進情報と当該携帯端末ＩＤとを関連付けて配信履歴として保存する配信履歴管理部を備え、
前記配信情報選択部は、前記リーダライタ端末から受信した携帯端末ＩＤおよび当該リーダライタ端末ＩＤに基づき携帯端末へ配信する販売促進情報を選択する際に、前記配信履歴管理部に保存されている販売促進情報を今回配信する選択対象から除外する
ことを特徴とする請求項１に記載の情報配信システム。
【請求項３】
前記配信情報管理部は、さらに販売促進情報と当該販売促進情報が配信される配信期間とを対応付けて保存し、
前記配信情報選択部は、前記リーダライタ端末から受信した携帯端末ＩＤとリーダライタ端末ＩＤとに基づき前記携帯端末管理部と前記リーダライタ端末管理部とを検索して、携帯端末の保有者属性情報とリーダライタ端末属性情報を得て、この保有者属性情報とリーダライタ端末属性情報および前記携帯端末ＩＤとリーダライタ端末ＩＤを受信した時刻とに基づき前記配信情報管理部から販売促進情報を選択して、この販売促進情報を前記リーダライタ端末へ送信し、
前記リーダライタ端末は、前記サーバ装置から受信した販売促進情報を前記携帯端末へ送信する
ことを特徴とする請求項１または２に記載の情報配信システム。
【請求項４】
非接触ＩＣ通信を行うリーダライタ端末から非接触ＩＣを内蔵した携帯端末へ、前記リーダライタ端末とネットワークを介して接続されたサーバ装置が保有する販売促進情報を配信する情報配信方法において、
前記リーダライタ端末は、非接触ＩＣ通信により携帯端末から携帯端末ＩＤを読み取り、この携帯端末ＩＤと当該リーダライタ端末ＩＤとを前記サーバ装置に送信し、
前記サーバ装置は、前記リーダライタ端末から受信した携帯端末ＩＤとリーダライタ端末ＩＤとに基づき携帯端末の保有者属性情報とリーダライタ端末属性情報を得て、この保有者属性情報とリーダライタ端末属性情報に基づき前記配信情報管理部から販売促進情報を選択して、この販売促進情報を前記リーダライタ端末へ送信し、
前記リーダライタ端末は、前記サーバ装置から受信した販売促進情報を前記携帯端末へ送信する
ことを特徴とする情報配信方法。
【請求項５】
非接触ＩＣ通信を行うリーダライタ端末から非接触ＩＣを内蔵した携帯端末へ、前記リーダライタ端末とネットワークを介して販売促進情報を配信するサーバ装置において、
携帯端末ＩＤと当該携帯端末の保有者属性情報とを対応付けて保存する携帯端末管理部と、
リーダライタ端末ＩＤと当該リーダライタ端末の属性情報とを対応付けて保存するリーダライタ端末管理部と、
販売促進情報と、当該販売促進情報の配信対象となるリーダライタ端末属性情報と携帯端末保有者属性情報とを対応付けて保存する配信情報管理部と、
前記リーダライタ端末から受信した携帯端末ＩＤとリーダライタ端末ＩＤとに基づき前記携帯端末管理部と前記リーダライタ端末管理部とを検索して、携帯端末の保有者属性情報とリーダライタ端末属性情報を得て、この保有者属性情報とリーダライタ端末属性情報に基づき前記配信情報管理部から販売促進情報を選択する配信情報選択部と、
この販売促進情報を前記リーダライタ端末へ送信するネットワーク通信部と、
を備えることを特徴とするサーバ装置。
【請求項６】
非接触ＩＣ通信を行うリーダライタ端末から非接触ＩＣを内蔵した携帯端末へ、前記リーダライタ端末とネットワークを介して販売促進情報を配信するサーバ装置のコンピュータを、
携帯端末ＩＤと当該携帯端末の保有者属性情報とを対応付けて保存する携帯端末管理部と、
リーダライタ端末ＩＤと当該リーダライタ端末の属性情報とを対応付けて保存するリーダライタ端末管理部と、
販売促進情報と、当該販売促進情報の配信対象となるリーダライタ端末属性情報と携帯端末保有者属性情報とを対応付けて保存する配信情報管理部と、
前記リーダライタ端末から受信した携帯端末ＩＤとリーダライタ端末ＩＤとに基づき前記携帯端末管理部と前記リーダライタ端末管理部とを検索して、携帯端末の保有者属性情報とリーダライタ端末属性情報を得て、この保有者属性情報とリーダライタ端末属性情報に基づき前記配信情報管理部から販売促進情報を選択する配信情報選択部と、
この販売促進情報を前記リーダライタ端末へ送信するネットワーク通信部、
として機能させるためのプログラム。
【発明の詳細な説明】
【技術分野】
【０００１】
本発明は、非接触ＩＣ通信を行うリーダライタ端末から顧客が所有する非接触ＩＣ内蔵携帯端末へ、サーバ装置が保有する販売促進情報を配信するための情報配信システム、情報配信方法、そのためのサーバ装置、およびプログラムに関する。
【背景技術】
【０００２】
近年、商店の店舗内や電車内、駅構内などで、非接触ＩＣ通信を使った広告情報配信が行われている。たとえば、ポスターの内部に非接触ＩＣ通信を行うリーダライタ端末を埋め込み、非接触ＩＣ内蔵携帯電話にポスター関連情報ＷＥＢサイトのＵＲＬを送り込む手法が使われている。このような用途で使われるリーダライタ端末は、内部にＵＲＬ情報を保持しており、非接触ＩＣ内蔵携帯電話などをかざされると、無条件にそれを送出する。
上述のような先行技術として、特許文献１には、情報配信端末の属性とスケジュールによって情報配信計画を事前に作成し、計画に従って情報配信端末に文字情報を配信・表示させる仕組みに関する技術が記載されている。
【先行技術文献】
【特許文献】
【０００３】
【特許文献１】特開２００２−４１５５８号公報
【発明の概要】
【発明が解決しようとする課題】
【０００４】
しかしながら、特許文献１は、情報を見る個々の人に合わせて販売促進情報を配信することができない。
本発明は、上記課題を解決するためになされたもので、情報を見る人と、この人がどの情報配信端末から情報を得たいかに応じて、配信する販売促進情報を選択することを目的としている。
【課題を解決するための手段】
【０００５】
上記課題を解決するために、請求項１に記載の発明は、非接触ＩＣ通信を行うリーダライタ端末から非接触ＩＣを内蔵した携帯端末へ、サーバ装置が保有する販売促進情報を配信する情報配信システムにおいて、前記サーバ装置は、携帯端末ＩＤと当該携帯端末の保有者属性情報とを対応付けて保存する携帯端末管理部と、リーダライタ端末ＩＤと当該リーダライタ端末の属性情報とを対応付けて保存するリーダライタ端末管理部と、販売促進情報と、当該販売促進情報の配信対象となるリーダライタ端末属性情報と携帯端末保有者属性情報とを対応付けて保存する配信情報管理部と、前記配信情報管理部から所定の販売促進情報を選択する配信情報選択部と、を備え、前記リーダライタ端末は、非接触ＩＣ通信により携帯端末から携帯端末ＩＤを読み取り、この携帯端末ＩＤと当該リーダライタ端末ＩＤとを前記サーバ装置に送信し、前記サーバ装置の配信情報選択部は、前記リーダライタ端末から受信した携帯端末ＩＤとリーダライタ端末ＩＤとに基づき前記携帯端末管理部と前記リーダライタ端末管理部とを検索して、携帯端末の保有者属性情報とリーダライタ端末属性情報を得て、この保有者属性情報とリーダライタ端末属性情報に基づき前記配信情報管理部から販売促進情報を選択して、この販売促進情報を前記リーダライタ端末へ送信し、前記リーダライタ端末は、前記サーバ装置から受信した販売促進情報を前記携帯端末へ送信することを特徴とする。
【０００６】
請求項２に記載の発明は、前記サーバ装置は、携帯端末へ既に配信した販売促進情報と当該携帯端末ＩＤとを関連付けて配信履歴として保存する配信履歴管理部を備え、前記配信情報選択部は、前記リーダライタ端末から受信した携帯端末ＩＤおよび当該リーダライタ端末ＩＤに基づき携帯端末へ配信する販売促進情報を選択する際に、前記配信履歴管理部に保存されている販売促進情報を今回配信する選択対象から除外することを特徴とする。
【０００７】
請求項３に記載の発明は、前記配信情報管理部は、さらに販売促進情報と当該販売促進情報が配信される配信期間とを対応付けて保存し、前記配信情報選択部は、前記リーダライタ端末から受信した携帯端末ＩＤとリーダライタ端末ＩＤとに基づき前記携帯端末管理部と前記リーダライタ端末管理部とを検索して、携帯端末の保有者属性情報とリーダライタ端末属性情報を得て、この保有者属性情報とリーダライタ端末属性情報および前記携帯端末ＩＤとリーダライタ端末ＩＤを受信した時刻とに基づき前記配信情報管理部から販売促進情報を選択して、この販売促進情報を前記リーダライタ端末へ送信し、前記リーダライタ端末は、前記サーバ装置から受信した販売促進情報を前記携帯端末へ送信することを特徴とする。
【０００８】
請求項４に記載の発明は、非接触ＩＣ通信を行うリーダライタ端末から非接触ＩＣを内蔵した携帯端末へ、前記リーダライタ端末とネットワークを介して接続されたサーバ装置が保有する販売促進情報を配信する情報配信方法において、前記リーダライタ端末は、非接触ＩＣ通信により携帯端末から携帯端末ＩＤを読み取り、この携帯端末ＩＤと当該リーダライタ端末ＩＤとを前記サーバ装置に送信し、前記サーバ装置は、前記リーダライタ端末から受信した携帯端末ＩＤとリーダライタ端末ＩＤとに基づき携帯端末の保有者属性情報とリーダライタ端末属性情報を得て、この保有者属性情報とリーダライタ端末属性情報に基づき前記配信情報管理部から販売促進情報を選択して、この販売促進情報を前記リーダライタ端末へ送信し、前記リーダライタ端末は、前記サーバ装置から受信した販売促進情報を前記携帯端末へ送信することを特徴とする。
【０００９】
請求項５に記載の発明は、非接触ＩＣ通信を行うリーダライタ端末から非接触ＩＣを内蔵した携帯端末へ、前記リーダライタ端末とネットワークを介して販売促進情報を配信するサーバ装置において、携帯端末ＩＤと当該携帯端末の保有者属性情報とを対応付けて保存する携帯端末管理部と、リーダライタ端末ＩＤと当該リーダライタ端末の属性情報とを対応付けて保存するリーダライタ端末管理部と、販売促進情報と、当該販売促進情報の配信対象となるリーダライタ端末属性情報と携帯端末保有者属性情報とを対応付けて保存する配信情報管理部と、前記リーダライタ端末から受信した携帯端末ＩＤとリーダライタ端末ＩＤとに基づき前記携帯端末管理部と前記リーダライタ端末管理部とを検索して、携帯端末の保有者属性情報とリーダライタ端末属性情報を得て、この保有者属性情報とリーダライタ端末属性情報に基づき前記配信情報管理部から販売促進情報を選択する配信情報選択部と、この販売促進情報を前記リーダライタ端末へ送信するネットワーク通信部と、を備えることを特徴とする。
【００１０】
請求項６に記載の発明は、非接触ＩＣ通信を行うリーダライタ端末から非接触ＩＣを内蔵した携帯端末へ、前記リーダライタ端末とネットワークを介して販売促進情報を配信するサーバ装置のコンピュータを、携帯端末ＩＤと当該携帯端末の保有者属性情報とを対応付けて保存する携帯端末管理部と、リーダライタ端末ＩＤと当該リーダライタ端末の属性情報とを対応付けて保存するリーダライタ端末管理部と、販売促進情報と、当該販売促進情報の配信対象となるリーダライタ端末属性情報と携帯端末保有者属性情報とを対応付けて保存する配信情報管理部と、前記リーダライタ端末から受信した携帯端末ＩＤとリーダライタ端末ＩＤとに基づき前記携帯端末管理部と前記リーダライタ端末管理部とを検索して、携帯端末の保有者属性情報とリーダライタ端末属性情報を得て、この保有者属性情報とリーダライタ端末属性情報に基づき前記配信情報管理部から販売促進情報を選択する配信情報選択部と、この販売促進情報を前記リーダライタ端末へ送信するネットワーク通信部、として機能させるためのプログラムである。
【発明の効果】
【００１１】
本発明によれば、非接触ＩＣ内蔵携帯端末の保有者属性情報、および携帯端末がタッチされたリーダライタ端末の属性情報に応じて携帯端末へ配信する販売促進情報を選択できるので、携帯端末の保有者およびタッチされたリーダライタ端末の属性（たとえば所在地）に合った情報を配信できる。
【図面の簡単な説明】
【００１２】
【図１】本発明の第１の実施例におけるシステム構成図である。
【図２】Ｒ／Ｗ端末管理テーブル１３の一例を示した図である。
【図３】携帯端末管理テーブル１４の一例を示した図である。
【図４】配信情報管理テーブル１５の一例を示した図である。
【図５】本実施例における情報配信時の通信シーケンスである。
【図６】情報配信要求メッセージ５のデータ構造である。
【図７】情報配信応答メッセージ６のデータ構造である。
【図８】受信した販売促進情報を携帯端末３の画面に表示した例である。
【図９】第１の実施例における、サーバ装置１における配信情報選択部１２で配信する販売促進情報を選択する処理フローである。
【図１０】本発明の第２の実施例におけるシステム構成図である。
【図１１】配信履歴管理テーブル１６の一例を示した図である。
【図１２】第２の実施例における、サーバ装置１における配信情報選択部１２で配信する販売促進情報を選択する処理フローである。
【発明を実施するための形態】
【００１３】
添付図面を適宜参照しながら、本発明にかかる情報配信システムの好適な実施の形態について説明する。
＜第１の実施例＞
図１〜４は、本発明の第１の実施例を実現するための構成を説明する図である。
【００１４】
図１は、本発明の第１の実施例におけるシステム構成図である。
図１において、１は販売促進情報を配信する配信サーバとして機能するサーバ装置、２は非接触ＩＣ通信を行うＲ／Ｗ（リーダライタ）端末である。サーバ装置１とＲ／Ｗ端末とは、ＬＡＮやインターネットなどのネットワーク４を介して接続されている。３は非接触ＩＣカードを内蔵している携帯端末であり、Ｒ／Ｗ端末２と携帯端末３とは、非接触ＩＣ通信を行う。携帯端末３は識別番号である携帯端末ＩＤを有しており、このＩＤとしては、たとえばＦｅｌｉｃａチップ（登録商標）の製造番号を使う。
【００１５】
本発明の本質的な動作は以下である。すなわち、Ｒ／Ｗ端末２は、タッチされた携帯端末３から非接触ＩＣ通信により携帯端末ＩＤを読み取り、この携帯端末ＩＤおよび自身が記憶するＲ／Ｗ端末ＩＤを、ネットワーク４を介してサーバ装置１に送信する。サーバ装置１では、携帯端末ＩＤやＲ／Ｗ端末ＩＤ、そしてこれらＩＤを受信した時刻などに基づき販売促進情報を選択し、ネットワーク４を介してＲ／Ｗ端末２に送信する。そして、Ｒ／Ｗ端末２は非接触ＩＣ通信を使って携帯端末３へ販売促進情報を配信する。この結果、携帯端末３の保有者属性情報およびＲ／Ｗ端末の属性情報（設置場所など）を使って、個々の携帯端末の保有者に合わせて適切な販売促進情報を配信できる。
【００１６】
サーバ装置１は、ネットワークを介してデータを送受信するネットワーク通信部１１、携帯端末３へ配信する販売促進情報を選択する配信情報選択部１２を備える。配信情報選択部１２は、Ｒ／Ｗ端末管理テーブル１３と携帯端末管理テーブル１４から、Ｒ／Ｗ端末属性情報と携帯端末の保有者属性情報を得て、この結果を利用して配信情報管理テーブル１５を検索し、携帯端末３へ配信する販売促進情報を選択する。サーバ装置１は、当該サーバを動作させるためのプログラムを格納する領域を有する（不図示）。
【００１７】
販売促進情報としては、たとえば店舗の広告やクーポンを想定しているが、これらに限定されない。たとえば、複数のＲ／Ｗ端末がある店舗に設置される場合は、携帯端末の保有者属性およびＲ／Ｗ端末の設置場所に基づきニュースや音楽・動画などのコンテンツを配信することで、店舗への来店を促すことができる。
【００１８】
Ｒ／Ｗ端末２は、ネットワークを介してデータを送受信するネットワーク通信部２１、各種制御を司る制御部２２、非接触ＩＣ通信を行う非接触ＩＣ通信部２３を備える。Ｒ／Ｗ端末２は不図示のメモリの中に、このＲ／Ｗ端末の識別番号であるＲ／Ｗ端末ＩＤを有している。
【００１９】
図２は、Ｒ／Ｗ端末管理テーブル１３の一例を示した図である。
Ｒ／Ｗ端末管理テーブル１３は、Ｒ／Ｗ端末ＩＤとＲ／Ｗ端末属性情報とを対応づけて保存している。Ｒ／Ｗ端末属性情報は、Ｒ／Ｗ端末が設置されている場所に紐づいた情報であり、本実施例ではこのＲ／Ｗ端末の周辺にある店舗情報を属性情報としている。あるいは、このＲ／Ｗ端末の設置場所から他の地域へ送客するために、他の地域にあるショッピングモールや店舗の情報を、Ｒ／Ｗ端末の属性情報としてもよい。あるＲ／Ｗ端末ＩＤに対応するＲ／Ｗ端末属性情報は、複数あってもよい。本実施例では、Ｒ／Ｗ端末ＩＤ＝１に対応するＲ／Ｗ端末属性情報は、”ハンバーガーショップＡ”と”居酒屋Ｄ”の２つである。
【００２０】
図３は、携帯端末管理テーブル１４の一例を示した図である。
携帯端末管理テーブル１４は、携帯端末ＩＤと携帯端末の保有者属性情報とを対応づけて保存している。携帯端末保有者属性情報は、携帯端末の保有者に関する属性情報であり、本実施例では保有者の年齢および性別としている。
【００２１】
図４は、配信情報管理テーブル１５の一例を示した図である。
配信情報管理テーブル１５は、配信情報ＩＤとこの配信情報が配信される配信期間、Ｒ／Ｗ端末属性情報、携帯端末保有者属性情報および販売促進情報とを対応づけて保存している。販売促進情報は、配信情報のタイトル、配信情報の本文、および詳細情報を得られるリンク先であるＵＲＬを含んでいる。
【００２２】
図５〜９は、サーバ装置１が保有する販売促進情報を、Ｒ／Ｗ端末３を経由して携帯端末３へ配信する処理を説明する図である。
図５は、本実施例における情報配信時の通信シーケンスである。
【００２３】
非接触ＩＣカードを内蔵した携帯端末ＩＤ＝１である携帯端末３が、Ｒ／Ｗ端末ＩＤ＝１であるＲ／Ｗ端末２にかざされると、Ｒ／Ｗ端末２は非接触ＩＣ通信を行って携帯端末３から携帯端末ＩＤを読み取る（ステップＳ１）。Ｒ／Ｗ端末２はサーバ装置１へ、読み取った携帯端末ＩＤ＝１と自身が記憶しているＲ／Ｗ端末ＩＤ＝１を含んだ情報配信要求メッセージ５を、ネットワーク４を介して送信する（ステップＳ２）。
【００２４】
図６は、ステップＳ２で送信される情報配信要求メッセージ５のデータ構造である。
情報配信要求メッセージ５は、開始フラグ５１、メッセージ種別５２、メッセージ長５３、Ｒ／Ｗ端末ＩＤ５４、携帯端末ＩＤ５５、フレームチェックシーケンス５６、終了フラグ５７から構成される。メッセージ種別５２は、情報配信要求であることを示す”０１”とする。Ｒ／Ｗ端末ＩＤ５４は”１”である。携帯端末ＩＤ５５は”１”である。
【００２５】
図５の説明に戻り、情報配信要求メッセージ５を受信したサーバ装置１は、配信情報選択部１２が携帯端末ＩＤとＲ／Ｗ端末ＩＤとに基づき配信する販売促進情報を選択する（ステップＳ３）。この情報選択処理については、後ほど図９で詳述する。サーバ装置１は、選択した販売促進情報を含んだ情報配信応答メッセージ６を、配信要求のあったＲ／Ｗ端末２へネットワーク４を介して送信する（ステップＳ４）。
【００２６】
図７は、ステップＳ４で送信される情報配信応答メッセージ６のデータ構造である。
情報配信応答メッセージ６は、開始フラグ６１、メッセージ種別６２、メッセージ長６３、Ｒ／Ｗ端末ＩＤ６４、販売促進情報６５、フレームチェックシーケンス６６、終了フラグ６７から構成される。メッセージ種別６２は、情報配信応答であることを示す”０２”とする。Ｒ／Ｗ端末ＩＤ６４は、情報配信を要求したＲ／Ｗ端末への応答なので、”１”である。販売促進情報６５は、図４で示した配信情報管理テーブル１５における販売促進情報と同一であり、配信情報のタイトル、配信情報の本文、および詳細情報を得られるリンク先であるＵＲＬを含んでいる。
【００２７】
図５の説明に戻り、情報配信応答メッセージを受信したＲ／Ｗ端末２は、販売促進情報を取り出し、非接触ＩＣ通信により携帯端末３へ販売促進情報を送信する（ステップＳ５）。携帯端末３は、受信した販売促進情報を画面に表示する。図８に携帯端末３における販売促進情報の表示例を示す。
【００２８】
図９は、図５のステップＳ３において、サーバ装置１の配信情報選択部１２が、携帯端末３へ配信する販売促進情報を選択する処理フローである。
配信情報選択部１２は、ネットワーク４を介して、Ｒ／Ｗ端末２から情報配信要求メッセージ５を受信すると、このメッセージを解析してＲ／Ｗ端末ＩＤ＝１および携帯端末ＩＤ＝１を抽出する（ステップＳ１１）。配信情報選択部１２は、受信したＲ／Ｗ端末ＩＤ＝１で図２のＲ／Ｗ端末管理テーブル１３を検索し、Ｒ／Ｗ端末属性情報として「ハンバーガーショップＡ」と「居酒屋Ｄ」とを得る（ステップＳ１２）。次いで、配信情報選択部１２は、受信した携帯端末ＩＤ＝１で図３の携帯端末管理テーブル１４を検索し、携帯端末の保有者属性情報として「２０代男性」を得る（ステップＳ１３）。
【００２９】
配信情報選択部１２は、ステップＳ１２で得たＲ／Ｗ端末属性情報と、ステップＳ１３で得た携帯端末の保有者属性情報、およびＲ／Ｗ端末ＩＤと携帯端末ＩＤを含んだ情報配信要求メッセージ５を受信した時刻（現在日時：２００８／１１／２９  １２：３４）に基づき、図４の配信情報管理テーブル１５を検索する（ステップＳ１４）。Ｒ／Ｗ端末属性情報は「ハンバーガーショップＡ」と「居酒屋Ｄ」なので、配信情報ＩＤ＝１００１・１００２の２つが、携帯端末３への配信候補となる。情報配信要求メッセージ５を受信した時刻も、配信情報ＩＤ＝１００１・１００２の配信期間の条件を満たしている。しかしながら、携帯端末の保有者属性情報が「２０代男性」であることから、販売促進情報として配信情報ＩＤ＝１００１を選択する。そして、配信情報ＩＤ＝１００１の販売促進情報を含んだ情報配信応答メッセージ６を生成して（ステップＳ１５）、配信情報選択の処理を終了する。
【００３０】
なお、本実施例では、サーバ装置１が情報配信要求メッセージ５を受信した時刻も、図４の配信情報管理テーブル１５を検索する条件の１つとしたが、この条件を設定するかどうかは任意で決められる。たとえば、１つのＲ／Ｗ端末には１つの販売促進情報だけを対応させる場合は、情報配信要求メッセージ５の受信時刻は検索に必須ではなくなる。
【００３１】
このように、第１の実施例によれば、非接触ＩＣ内蔵携帯端末の保有者属性情報、および携帯端末がタッチされたリーダライタ端末の属性情報に応じて、携帯端末へ配信する販売促進情報を選択するので、携帯端末の保有者および所在地に合った情報を配信できる。さらに、サーバ装置がリーダライタ端末から情報配信要求メッセージを受信した時刻も加味して携帯端末へ配信する販売促進情報を選択することで、販売促進情報の配信期間を考慮した適切なタイミングで携帯端末へ配信できる。
＜第２の実施例＞
図１０〜１２は、本発明の第２の実施例を説明する図である。
【００３２】
図１０は、本発明の第２の実施例におけるシステム構成図である。
図１０が図１と異なる点は、図１０に点線で示したように、サーバ装置１に配信履歴管理テーブル１６を備えることである。この配信履歴管理テーブル１６は、すでに配信済みの販売促進情報を、以降の配信から除外するためにある。なお、第１の実施例と第２の実施例との間で処理が異なる点は、サーバ装置１における販売促進情報の選択をどのようなロジックで決定するかである。したがって、図２〜４の各種管理テーブルや図５の通信シーケンス、図６・７の情報配信要求／応答メッセージの構造は同じである。
【００３３】
図１１は、配信履歴管理テーブル１６の一例を示した図である。
配信履歴管理テーブル１６は、販売促進情報を配信した配信日時と、携帯端末ＩＤと、Ｒ／Ｗ端末ＩＤと、配信情報ＩＤとを対応づけて保存している。配信日時は、サーバ装置１が情報配信応答メッセージ６をＲ／Ｗ端末３へ送信した日時である。配信履歴管理テーブル１６は、この配信日時において、図４で示す配信情報管理テーブルのうちどの配信情報ＩＤの販売促進情報を、どのＲ／Ｗ端末を経由して、どの携帯端末へ配信したかを保存管理している。
【００３４】
図１２は、図５のステップＳ３において、サーバ装置１の配信情報選択部１２が、携帯端末３へ配信する販売促進情報を選択する処理フローである。図１２が図９と異なる点は、図１２に点線で示したように、配信履歴管理テーブル１６を参照して販売促進情報を選択する部分（ステップＳ２４、Ｓ２５）と、配信した配信情報ＩＤを配信履歴管理テーブルに記録する部分（ステップＳ２７）である。ここで、第２の実施例の説明を分かりやすくするために、Ｒ／Ｗ端末ＩＤ＝４および携帯端末ＩＤ＝４のときに、この携帯端末へ図４における配信情報ＩＤ＝１００４を配信するときの処理を説明する。
【００３５】
配信情報選択部１２は、ネットワーク４を介して、Ｒ／Ｗ端末２から情報配信要求メッセージ５を受信すると、このメッセージを解析してＲ／Ｗ端末ＩＤ＝４および携帯端末ＩＤ＝４を抽出する（ステップＳ２１）。配信情報選択部１２は、受信したＲ／Ｗ端末ＩＤ＝４で図２のＲ／Ｗ端末管理テーブル１３を検索し、Ｒ／Ｗ端末属性情報として「レンタルショップＢ」を得る（ステップＳ２２）。次いで、配信情報選択部１２は、受信した携帯端末ＩＤ＝４で図３の携帯端末管理テーブル１４を検索し、携帯端末の保有者属性情報として「３０代女性」を得る（ステップＳ２３）。
【００３６】
ここで、配信済みの販売促進情報を今回の配信対象から除外するため、配信情報選択部１２は、受信した携帯端末ＩＤ＝４で図１１の配信履歴管理テーブル１６を検索し、配信済みの販売促進情報として「配信情報ＩＤ＝１００３」を得る（ステップＳ２４）。
【００３７】
配信情報選択部１２は、ステップＳ２２で得たＲ／Ｗ端末属性情報と、ステップＳ２３で得た携帯端末の保有者属性情報、Ｒ／Ｗ端末ＩＤと携帯端末ＩＤを含んだ情報配信要求メッセージ５を受信した時刻（現在日時：２００８／１０／２０  １８：２２）、およびステップＳ２４で得た今回の配信から除外すべき配信情報ＩＤに基づき、図４の配信情報管理テーブル１５を検索する（ステップＳ２５）。具体的には、Ｒ／Ｗ端末属性情報は「レンタルショップＢ」なので、配信情報ＩＤ＝１００３・１００４の２つが、携帯端末３への配信候補となる。携帯端末の保有者属性情報が「３０代女性」であり、情報配信要求メッセージ５を受信した時刻を考慮しても、配信情報ＩＤ＝１００３・１００４が配信される条件を満たしている。しかしながら、ステップＳ２４で「配信情報ＩＤ＝１００３」がすでに配信済みであることから、今回の販売促進情報として配信情報ＩＤ＝１００４を選択する。そして、配信情報ＩＤ＝１００４の販売促進情報を含んだ情報配信応答メッセージ６を生成する（ステップＳ２６）。また、今回の「配信情報ＩＤ＝１００４、配信日時：２００８／１０／２０  １８：２２、携帯端末ＩＤ＝４とＲ／Ｗ端末ＩＤ＝４」を、配信履歴管理テーブル１６に記録して（ステップＳ２７）、配信情報選択の処理を終了する。
【００３８】
このように、第２の実施例によれば、非接触ＩＣ内蔵携帯端末の保有者属性情報、携帯端末がタッチされたリーダライタ端末の属性情報を考慮し、さらに配信済みの配信情報ＩＤを除外する形で、携帯端末へ配信する販売促進情報を選択する。この結果、携帯端末の保有者および所在地に合った情報であるだけでなく、携帯端末をＲ／Ｗ端末へタッチする度に新規な販売促進情報を携帯端末へ配信できる。
【符号の説明】
【００３９】
１    サーバ装置
１１  ネットワーク通信部
１２  配信情報選択部
１３  Ｒ／Ｗ端末管理テーブル
１４  携帯端末管理テーブル
１５  配信情報管理テーブル
１６  配信履歴管理テーブル
２    リーダライタ（Ｒ／Ｗ）端末
２１  ネットワーク通信部
２２  制御部
２３  非接触ＩＣ通信部
３    携帯端末
４    ネットワーク
５    情報配信要求メッセージ
５１  開始フラグ
５２  メッセージ種別
５３  メッセージ長
５４  Ｒ／Ｗ端末ＩＤ
５５  携帯端末ＩＤ
５６  フレームチェックシーケンス
５７  終了フラグ
６    情報配信応答メッセージ
６１  開始フラグ
６２  メッセージ種別
６３  メッセージ長
６４  Ｒ／Ｗ端末ＩＤ
６５  販売促進情報
６６  フレームチェックシーケンス
６７  終了フラグ
【図４】
2011053760.tif 000003
【図５】
2011053760.tif 000004
【図６】
2011053760.tif 000005
【図７】
2011053760.tif 000006
【図８】
2011053760.tif 000007
【図９】
2011053760.tif 000008
【図１０】
2011053760.tif 000009
【図１１】
2011053760.tif 000010
【図１２】
2011053760.tif 000011
【図１】
2011053760.tif 000012
【図２】
2011053760.tif 000013
【図３】
2011053760.tif 000014